(57)【特許請求の範囲】
【請求項１】
複数の鉄筋を組み合わせて組み立てられる鉄筋組立体を、クレーン等で釣支移送する吊り金具に、バタ材等軽量の枠部材を連結して吊り枠体を形成した連結吊り金具であって、移送治具体を介して鉄筋組立体を形状保持して釣支移送するその連結吊り金具において、
軸体で形成した軸状吊り金具本体の上下両端部に吊り部と、釣支部を設けると共に該吊り部と釣支部との間の軸体に、枠部材を連結する複数の枠部材連結体を設け、該枠部材連結体の一方端側に回動可能に枢着する枢着部を設けると共に他方端側に枠部材を嵌入連結する連結部をそれぞれ設けたことを特徴とする吊り枠体連結金具兼用連結吊り金具。
【発明の詳細な説明】
【技術分野】
【０００１】  本発明は、橋梁などの基礎に使用する深礎杭の鉄筋組立体を、深礎杭内に釣支移送するための吊り枠体の連結金具と兼用する連結吊り金具に関する。
【背景技術】
【０００２】  従来、橋梁などを構築する基礎の深礎杭が構築され、該深礎杭は、まず地盤に深礎立坑を掘削した後、該深礎立坑内に所定の鉄筋組立体を一施工法としてブロック単位で移送構築している。【０００３】  その鉄筋組立体のブロック単位での釣支移送に関して、該鉄筋組立体の該ブロック単位は、高重量で深礎杭の規模に合わせて製作されるため現場対応となり、その重量は一例として約４トン程度の鉄筋組立体が組み立てられ、その高重量な鉄筋組立体を釣支移送する従来の吊り枠体としては、高過重対応材料のＨ型鋼材を使用して、該鉄筋組立体と略同径の円形の枠体を形成し、該円形状枠体に該鉄筋組立体を釣支すると共に該円形状枠体を介して直接クレーン等で釣支移送して構築施工している。【０００４】  また、該円形状枠体の製作は、深礎杭の直径に合わせて、該Ｈ鋼を円弧状に湾曲させたものをそれぞれ連結金具で所定数連結させて円形状枠体を形成し、該円形状枠体に設けられたフック等にワイヤー掛けして釣支移送している。【０００５】  しかして、構造物を吊り具で吊り込むための先行技術としては、構造物２に設けられた構造物吊り金具１を介して吊り込むとしたことが記載される「構造物吊り金具」がある。（例えば、特許文献１参照）【０００６】  また、鋼材に吊り下げる先行技術は、ワイヤー２０を介してクレーンフック２２に吊下げ支持された横鋼材１８に一端が固設された吊り金具１６に上鉄筋１２ａ〜１２ｅが個別に着脱可能にそれぞれ係止するとしたことが記載される「鉄筋の鉛直連結方法」がある。（例えば、特許文献２参照）【０００７】  さらに、吊り金具の先行技術は、突き合わせた状態で円柱状の孔を有する一対の保持具１１で、鉄筋３を挟んだ状態で拘束箱２に挿入して、該拘束箱２の吊り手２１に取り付けたワイヤーを介してクレーン等で拘束箱２を吊り上げるとしたことが記載される「鉄筋の吊り金具」がある。（例えば、特許文献３参照）
【先行技術文献】
【特許文献】
【０００８】
【特許文献１】特開平１０−２７３２８４号公報
【特許文献２】特開２００２−００４５８４号公報
【特許文献３】特開２００１−２８８８９７号公報
【発明の概要】
【発明が解決しようとする課題】
【０００９】  しかして、従来の一般的に使用される前記吊り枠体の円形状枠体は、該円形状枠体に直接、鉄筋組立体を釣支するので、前記鉄筋組立体の全荷重が該円形枠体に掛かるためその高荷重に対応する必要があり、よって高荷重対応のＨ型鋼材などを使用しており、またその円形枠体自体も高重量となり取り扱いが煩雑で、さらに各現場規模に対応してその都度、製作する必要からコストなどの課題もあり、コスト削減が可能で、且つ軽量で簡易な構成の吊り枠体で鉄筋組立体の釣支移送が可能なものが求められていた。【００１０】  また、該吊り枠体を形成するＨ型鋼材を円形枠体に形成するには、高度な曲げ技術が必要なため制作費が高価格となり、各現場規模に対応して製作するには、軽量で、簡易な構成とコストなどの課題解決が求められていた。【００１１】  しかして、先行技術で開示される特許文献１の「構造物吊り金具」は、構造物２の底壁２３に周状にループ鉄筋１１を設け、また各吊り鉄筋１２を周壁２１に底壁２３に対して略垂直状にそれぞれ埋設されて形成されているから構造物吊り金具１で直接、吊り上げることかできるが、埋設されず鉄筋のみの構造物では、構造物吊り金具１で直接、吊り上げることかできず、その吊り上げ構造の簡易化の解決が望まれていた。【００１２】  また、上述した特許文献２の「鉄筋の鉛直連結方法」の吊り金具は、横鋼材１８を介して、吊り金具１６により上鉄筋１２ａ〜１２ｅを個別に吊下げ支持していることから、上述した従来のＨ型鋼材を使用する実施例と同様の釣支移送に課題があり、軽量で吊り上げ構造の簡易化によるコスト低減できる吊り金具が求められていた。【００１３】  さらに、上述した特許文献３の「鉄筋の吊り金具」は、鉄筋３単体を吊り上げるもで、鉄筋組立体のように鉄筋を所定形状に組み立てられたものに対応する構成にはなく、そこで上述各先行技術を参照しても、鉄筋組立体の釣支移送を実現するにはコストの低減と、軽量で簡易な構成の釣支移送が可能とはならず、その解決が待たれていた。【００１４】  よって、このような従来の課題であるコスト低減と吊り上げ構造の簡易化を、連結吊り金具により移送治具体を介して直接、鉄筋組立体を釣支すると共に吊り枠体で該鉄筋組立体の形状支持することで、その課題を解決し、軽量で簡易な構成の吊り枠体連結金具兼用連結吊り金具で釣支移送を可能とすることを目的とする。
【課題を解決するための手段】
【００１５】  本発明は、上記課題を有効に達成するために、解決手段として、複数の鉄筋を組み合わせて組み立てられる鉄筋組立体を、クレーン等で釣支移送する吊り金具に、バタ材等軽量の枠部材を連結して吊り枠体を形成した連結吊り金具であって、移送治具体を介して鉄筋組立体を形状保持して釣支移送するその連結吊り金具において、
軸体で形成した軸状吊り金具本体の上下両端部に吊り部と、釣支部を設けると共に該吊り部と釣支部との間の軸体に、枠部材を連結する複数の枠部材連結体を設け、該枠部材連結体の一方端側に回動可能に枢着する枢着部を設けると共に他方端側に枠部材を嵌入連結する連結部をそれぞれ設けることで、
鉄筋組立体をクレーン等で釣支移送する吊り金具に、バタ材等軽量の枠部材を連結して吊り枠体を形成した連結吊り金具の吊り部と、釣支部で、移送治具体を介して鉄筋組立体を釣支することで、該鉄筋組立体の重量を直接、吊り枠体に介すること無く、釣支移送するとしている。
【発明の効果】
【００１６】  本発明は、上述した解決手段によって有効な効果を得るもので、
所定形状の吊り枠体を形成した連結吊り金具が、移送治具体を介して吊り枠体の所定形状を保持させると共に鉄筋組立体の重量が直接掛からないように、鉄筋組立体の重量を直接、連結吊り金具で支持することで、吊り枠体に対する重量負荷を小さくできるからバタ材等軽量の枠部材が使用でき、よって従来と比較して資材及び組立作業効率からコスト削減になる。【００１７】  また、連結吊り金具の軸状吊り金具本体により、枠部材を所定角度で連結保持すると共に軽量で簡易な構成の吊り枠体を形成することから、取り扱いが容易で、さらに各深礎杭の直径に見合った角度を付けて枠部材を連結することで、各現場の深礎杭の直径に適合させて容易に組立ができるので、前記従来と比較して資材及び組立作業効率からコスト削減になる。
よって、上述する各構成により本発明は、実用上著大な効果を奏する。
【図面の簡単な説明】
【００１８】
【図１】  本発明の実施例の正面図である。
【図２】  本発明の実施例の使用状態を示す平面図である。
【図３】  本発明の吊り枠体１０で鉄筋組立体１２を釣支移送する状態を示す平面図である。
【図４】  本発明の連結吊り金具１に移送治具体１１を釣支した状態を示す要部の正面図である。
【図５】  本発明の移送治具体１１に帯筋１４を支持した状態を示す要部の側面図である。
【図６】  本発明の移送状態を示す要部の正面の部分断面図である。
【発明を実施するための形態】
【００１９】連結吊り金具は、軸体で形成した軸状吊り金具本体の上下両端部近傍に吊り部と、釣支部を各設けると共に該吊り部と釣支部との間の軸体に、複数の枠部材連結体の一方端側を回動可能に枢着すると共にその他方端側に枠部材を嵌入連結する枠部材連結体を設けたことにより、
深礎杭の直径に適合させた吊り枠体を容易に組立製作ができる枠体連結部材を連結吊り金具の軸状吊り金具本体に設けると共にその上下両端部に吊り部と釣支部を設けたことで、鉄筋組立体の釣支移送が容易となり、吊り枠体の資材及びその組立作業効率からコスト削減できると共に吊り枠体の重量負荷が小さく、取り扱いが容易となる吊り枠体連結金具兼用連結吊り金具を実現させた。
【実施例】
【００２０】  本発明の実施例を図面に基づいて説明すると、図１の実施例において、１は連結吊り金具で、該連結吊り金具１は、支軸体で形成した軸状吊り金具本体２を有し、該軸状吊り金具本体２の上部に環状掛止部３ａを有する吊り部３を設け、他方、下部には、下向きのコの字状に形成した釣支部４を図示では螺着して設け、該釣支部４に釣支できる係止穴４ａ，４ａをそれぞれ開設している。【００２１】  また、該吊り部３と釣支部４の間の支軸体の軸状吊り金具本体２に、水平方向に枠部材５，５を連結する枠部材連結体６，６を設け、該枠部材連結体６は、一方端側を軸状吊り金具本体２に回動可能に軸支する枢着部７と、他方端側に枠部材５の端部を連結する連結部６ａを設け、該連結部６ａは、枠部材５の端面形状に対応させて方形筒又は円筒形状に形成して、上記枠部材５の一般市販材の角バタ材等若しくは丸パイプを嵌入連結する。【００２２】  なお、枠部材連結体６は、枠部材５に対応させた方形筒又は円筒形状としているが、棒状に変更して枠部材５を該棒状に外嵌するようにしても良いが図示は省略した。【００２３】  そして、枠部材連結体６の連結部６ａ，６ａに枠部材５，５を嵌入連結すると共に所定角度で連結保持された状態で、図２に示すように双方の枠部材５，５の端部近傍に、棒状又はパイプ状の抜止め角度保持体８を、連結クランプ９，９を介して保持固定させることで、枠部材５，５を所定角度で連結して保持固定できるので、後述する吊り枠体１０を組立形成するとき、その吊り枠体１０に合わせて各枠部材５，５を切断して取り付けるだけで組立できるので加工が容易となる。
なお、該連結クランプ９は、直交クランプ、自在クランプなどパイプなど連結するときに、多くの建築現場の足場等の連結組立で使用される一般市販品である。【００２４】  そして、吊り部３は、軸状吊り金具本体２の上部から突出して設けると共にクレーン等で釣支移送するワイヤーを掛止する環状掛止部３ａを形成し、また図１に示す釣支部４，４は、該吊り金具本体２の底面側より垂下するように板状体を並設した下向きのコの字状に形成して設けると共に後述する移送治具体を釣支する係止穴４ａ，４ａをそれぞれ開設している。【００２５】  しかして、実施例の連結吊り金具１の枠部材連結体６，６に枠部材５，５，…をそれぞれ連結して、図３に示すように八角形状の吊り枠体１０を形成し、そして図４に示すように、連結吊り金具１の下部の釣支部４，４に移送治具体１１を釣支し、また該移送治具体１１は後述する鉄筋組立体上１２を係止支持している。【００２６】  そこで、上記した移送治具体１１は、図４及び図５に示すように、縦長の支持本体１３に帯筋１４，１４，…と同位置に支持金具１５，１５，…を回動可能に、図示ではそれぞれ六ヶ所枢着配置し、該支持金具１５は、図５に示すように、支持本体１３の前面側より後方に回動可能に突設させ、且つその突出部分の上部側に凹状の支持受け部１６を形成すると共に水平状態から後方へ反転可能に枢着し、また該支持金具１５に帯筋１４を保持する押さえ保持金具１７を回動可能に枢着している。【００２７】  また、鉄筋組立体１２は、図３に示すように、一例として略円弧状の帯筋１４，１４，…の両端にフック部１４ａ，１４ａ，…を形成したものを所定のラップ長で、該深礎立坑径に対応させた内外二重の環状に連結して形成すると共に上述の帯筋１４，１４，…と略同様、剪断補強筋１８，１８，…の両端にフック部１８ａ，１８ａ，…を形成したものを所定のラップ長で連結して、該環状に連結された外側の帯筋１４，１４，…に、該剪断補強筋１８，１８，…のフック部１８ａ，１８ａ，…を係止すると共に径方向に格子状に配筋して複数段、一例で示す図４では六段、各配置し、結束線等で帯筋１４，１４，…および剪断補強筋１８，１８，…の交点を結束保持して組み立てられ、該鉄筋組立体１５の帯筋１４，１４，…を移送治具体１１の支持金具１５，１５，…で支持させて移送する。【００２８】  しかして、地上で組み立てられた鉄筋組立体１２を、図６に示すようにクレーン１９で釣支移送するとき、フック２０及びワイヤー２１，２１，…を介して連結吊り金具１，１，…を釣支することで、その釣支された移送治具体１１，１１，…を介して鉄筋組立体１２を深礎立坑２２内に釣支移送する。【００２９】  その移送のときの鉄筋組立体１２の重量は、移送治具体１１，１１，…を介して連結吊り金具１，１，…からワイヤー２１，２１，…及びフック２０、そしてクレーン１９に掛かり、鉄筋組立体１２の重量が、直接、吊り枠体１０には掛からないため、簡易で軽量な一般市販品の丸パイプ若しくは角バタ材等が使用可能となり、また、鉄筋組立体１２の重量が直接、吊り枠体１０に作用することなく、吊り枠体１０の所定形状を保持する力が作用する。【００３０】  以上のように、鉄筋組立体１２を地上で組���、移送を繰り返し、深礎立坑２２内に鉄筋組立体１２を積み上げ構築する。【００３１】  なお、本実施例で示す釣支移送用の吊り金具を、深礎杭基礎用の鉄筋組立体１２としているが、他の目的で組み立てられる鉄筋組立体の移送にも使用できるが、図示は省略した。
【産業上の利用可能性】
【００３２】  本発明は、橋梁及び送電線鉄塔などを構築するときの深礎杭基礎用に使用する鉄筋組立体の移送に使用する吊り枠体連結金具と兼用する連結吊り金具に利用することができる。
【符号の説明】
【００３３】１  連結吊り金具
２  軸状吊り金具本体
３  吊り部
４  釣支部
５  枠部材
６  枠部材連結体
６ａ  連結部
７  枢着部
１０  吊り枠体
１１  移送治具体
１２  鉄筋組立体。
【要約】
【課題】  簡易で軽量な枠部材を使用して鉄筋組立体を釣支移送する吊り枠体を形成すると共にその連結を、連結金具と吊り金具を兼用して枠部材の連結と釣支移送することでコストダウンを図ること。
【解決手段】  鉄筋組立体を釣支移送する吊り金具において、枠部材を連結して吊り枠体を形成する吊り枠体連結金具と該吊り金具を兼用する連結吊り金具で、上下に板状体を配置する吊り金具本体の上側及び下側の略中央から釣支連結部を各突設すると共に上側及び下側の各板状体の間に枠部材を連結する該枠体連結部を複数設け、また吊り金具本体が側面略コの字状、又は枠部材の端部を上下から板状体で狭持する板状、又は支軸を有する釣支連結支軸体で、該連結吊り金具の上下で直接、該釣支連結部を介して鉄筋組立体を釣支移送するとしている。
【選択図】図１【図１】
0005527750.tif 000002
【図２】
0005527750.tif 000003
【図３】
0005527750.tif 000004
【図４】
0005527750.tif 000005
【図５】
0005527750.tif 000006
【図６】
0005527750.tif 000007